【手続補正書】
【提出日】平成20年5月19日(2008.5.19)
【手続補正１】
【補正対象書類名】明細書
【補正対象項目名】特許請求の範囲
【補正方法】変更
【補正の内容】
【特許請求の範囲】
【請求項１】
デジタル画像の画素を処理する画像処理方法であって、
複数のカラー出力チャネルを有する画像処理装置を第１の処理モード又は第２の処理モードで動作するように構成する工程と、
前記画像処理装置が前記第１の処理モードで構成されているとき、一度に複数の画素色成分を有する１つのカラー画素を処理し、前記カラー出力チャネルから複数の画素色成分を有する１つのカラー画素を出力する工程と、
前記画像処理装置が前記第２の処理モードで構成されているとき、１つの画素色成分を有する複数の画素を処理し、前記カラー出力チャネルから前記複数の画素を出力する工程と
を備えることを特徴とする画像処理方法。
【請求項２】
前記１つの画素色成分はグレイスケール成分であることを特徴とする請求項１記載の画像処理方法。
【請求項３】
前記複数の画素色成分は赤色成分、緑色成分及び青色成分であることを特徴とする請求項１記載の画像処理方法。
【請求項４】
前記複数の画素色成分は不透明度成分を更に含むことを特徴とする請求項３記載の画像処理方法。
【請求項５】
前記画像処理装置は塗りつぶし色判定モジュールを具備し、前記画像処理方法は、
第１の処理モード中、前記塗りつぶし色判定モジュールにおいて、１つ又は複数の指令に応答して、複数の画素色成分を有する複数の前記カラー画素を生成し、且つ前記複数の画素色成分を前記複数のカラー出力チャネルのうち対応するカラー出力チャネルから出力することにより、前記複数のカラー画素を出力する工程と、
第２の処理モード中、前記塗りつぶし色判定モジュールにおいて、１つ又は複数の指令に応答して各々が１つの画素色成分を有する複数の画素を生成し、且つ前記複数の画素を、前記カラー出力チャネルから同時に出力して、前記複数の前記画素を出力する工程と
を更に含むことを特徴とする請求項１記載の画像処理方法。
【請求項６】
前記１つ又は複数の指令のうち１つは塗りつぶし指令であり、且つ前記方法は、前記第２の処理モードにあるとき、
塗りつぶし指令が適用されるラスタ順の連続する画素の数であって、１からカラー出力チャネルの数に等しい最大数まで変化できる数を指示するパラメータを含む前記塗りつぶし指令を生成する工程を更に含むことを特徴とする請求項５記載の画像処理方法。
【請求項７】
前記１つ又は複数の指令のうち１つは反復指令であり、且つ前記画像処理方法は、前記第２の処理モードにあるとき、
先の前記塗りつぶし指令が適用されたラスタ順の連続する画素の数を指示するパラメータを含む前記反復指令を生成する工程を更に含むことを特徴とする請求項６記載の画像処理方法。
【請求項８】
デジタル画像の画素を処理する画像処理装置において、
複数のカラー出力チャネルを具備し、デジタル画像の画素を処理する画像処理装置と、
前記画像処理装置を第１の処理モード又は第２の処理モードで動作するように構成する制御装置とを具備し、
前記画像処理装置は、前記第１の処理モードで構成されているとき、一度に複数の画素色成分を有する１つのカラー画素を処理し、前記カラー出力チャネルから複数の画素色成分を有する１つのカラー画素を出力し、且つ
前記画像処理装置は、前記第２の処理モードで構成されているとき、１つの画素色成分を有する複数の画素を処理し、前記カラー出力チャネルから前記複数の画素を出力することを特徴とする画像処理装置。
【請求項９】
前記１つの画素色成分はグレイスケール成分であることを特徴とする請求項８記載の画像処理装置。
【請求項１０】
前記複数の画素色成分は赤色成分、緑色成分及び青色成分であることを特徴とする請求項８記載の画像処理装置。
【請求項１１】
前記複数の画素色成分は不透明度成分を更に含むことを特徴とする請求項１０記載の画像処理装置。
【請求項１２】
前記画像処理装置は塗りつぶし色判定モジュールを具備し、前記塗りつぶし色判定モジュールは、
第１の色処理モード中、１つ又は複数の指令に応答して、複数の画素色成分を有する複数の前記カラー画素を生成し、且つ前記複数の画素色成分を対応する前記複数のカラー出力チャネルから出力することにより、前記複数のカラー画素を出力する発生器と、
第２の色処理モード中、１つ又は複数の指令に応答して各々が１つの画素色成分を有する複数の画素を生成し、且つ前記複数の画素を、前記カラー出力チャネルから出力して、前記複数の前記画素を出力する発生器と
を更に具備することを特徴とする請求項８記載の画像処理装置。
【請求項１３】
前記１つ又は複数の指令のうち１つは塗りつぶし指令であり、且つ前記画像処理装置は、
第２の色処理モード中、塗りつぶし指令が適用されるラスタ順の連続する画素の数であって、１からカラー出力チャネルの数に等しい最大数まで変化できる数を指示するパラメータを含む前記塗りつぶし指令を生成する発生器を更に具備することを特徴とする請求項１２記載の画像処理装置。
【請求項１４】
前記１つ又は複数の指令のうち１つは反復指令であり、且つ前記画像処理装置は、
第２の色処理モード中、先の前記塗りつぶし指令が適用されたラスタ順の連続する画素の数を指示するパラメータを含む前記反復指令を生成する発生器を更に具備することを特徴とする請求項１３記載の画像処理装置。
【請求項１５】
デジタル画像の画素を処理する画像処理方法において、
複数のカラー出力チャネルを有する画像処理装置を第１の動作モード又は第２の動作モードで動作するように構成する工程と、
前記第１の動作モード中、複数の画素色成分を有する１つのカラー画素を生成する工程と、
前記第１の動作モード中、前記複数の画素色成分を対応する前記カラー出力チャネルから出力することにより、１つのカラー画素を出力する工程と、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成する工程と、
前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、１つの画素色成分を有する画素を生成する工程と、
前記第２の動作モード中、複数の前記カラー出力チャネルから複数の画素を出力する工程と
を備えることを特徴とする画像処理方法。
【請求項１６】
前記方法は、
前記第２の処理モード中、先の前記塗りつぶし指令が適用されたラスタ順の連続する画素の数を指示するパラメータを含む反復指令を生成する工程を更に含むことを特徴とする請求項１５記載の画像処理方法。
【請求項１７】
前記１つの画素色成分はグレイスケール成分であることを特徴とする請求項１５記載の画像処理方法。
【請求項１８】
前記複数の画素色成分は赤色成分、緑色成分及び青色成分であることを特徴とする請求項１５記載の画像処理方法。
【請求項１９】
前記複数の画素色成分は不透明度成分を更に含むことを特徴とする請求項１８記載の画像処理方法。
【請求項２０】
デジタル画像の画素を処理する画像処理装置であって、
複数のカラー出力チャネルを有する画像処理装置を第１の動作モード又は第２の動作モードで動作するように構成するホストプロセッサを具備し、前記画像処理装置は、
前記第１の動作モード中、複数の画素色成分を有する１つのカラー画素を生成し、且つ生成された各画素の前記複数の画素色成分を、対応する前記カラー出力チャネルから出力することにより、前記生成された複数のカラー画素を出力する塗りつぶしモジュールと、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成するモジュールとを具備し、
前記塗りつぶしモジュールは、前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する画素を生成し、且つ複数の前記画素を、前記複数の前記カラー出力チャネルから出力することを特徴とする画像処理装置。
【請求項２１】
デジタル画像の画素を処理する画像処理方法であって、
複数のカラー出力チャネルを有する画像処理装置を第１の動作モード又は第２の動作モードで動作するように構成する工程と、
前記第１の動作モード中、１つ又は複数の塗りつぶし指令を生成する工程と、
前記第１の動作モード中、１つの画素位置に対して１つ又は複数の対応する前記塗りつぶし指令に応答して、複数の画素色成分を有する１つのカラー画素を生成する工程と、
前記第１の動作モード中、生成された各画素の前記複数の画素色成分を、対応する前記カラー出力チャネルから出力する工程と、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成する工程と、
前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する画素を生成する工程と、
前記第２の動作モード中、複数の前記画素を、対応する前記カラー出力チャネルから出力する工程と
を備えることを特徴とする画像処理方法。
【請求項２２】
前記方法は、
前記第２の処理モード中、先の前記塗りつぶし指令が適用されたラスタ順の連続する画素の数を指示するパラメータを含む反復指令を生成する工程を更に含むことを特徴とする請求項２１記載の画像処理方法。
【請求項２３】
前記１つの画素色成分はグレイスケール成分であることを特徴とする請求項２１記載の画像処理方法。
【請求項２４】
前記複数の画素色成分は赤色成分、緑色成分及び青色成分であることを特徴とする請求項２１記載の画像処理方法。
【請求項２５】
前記複数の画素色成分は不透明度成分を更に含むことを特徴とする請求項２４記載の画像処理方法。
【請求項２６】
デジタル画像の画素を処理する画像処理装置において、
画像処理装置を第１の動作モード又は第２の動作モードで動作するように構成するホストプロセッサを具備し、前記画像処理装置は、
前記第１の動作モード中、対応する画素位置に対して１つ又は複数の塗りつぶし指令を生成する優先順位モジュールと、
前記第１の動作モード中、前記画素位置に対して１つ又は複数の対応する前記塗りつぶし指令に応答して、複数の画素色成分を有する１つの画素を出力する塗りつぶしモジュールとを具備し、
前記優先順位モジュールは、前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成し、且つ
前記塗りつぶしモジュールは、前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する複数の画素を生成し、且つ生成された複数の画素を、対応する複数の前記カラー出力チャネルから出力することを特徴とする画像処理装置。
【請求項２７】
コンピュータに読込ませ実行させることで、前記コンピュータを、請求項８乃至１４、２０、２６のいずれか１項に記載の画像処理装置として機能させるコンピュータプログラムを格納したコンピュータ可読記憶媒体。
【手続補正２】
【補正対象書類名】明細書
【補正対象項目名】００１１
【補正方法】変更
【補正の内容】
【００１１】
本発明の１つの態様によれば、デジタル画像の画素を処理する画像処理方法であって、
複数のカラー出力チャネルを有する画像処理装置を第１の処理モード又は第２の処理モードで動作するように構成する工程と、
前記画像処理装置が前記第１の処理モードで構成されているとき、一度に複数の画素色成分を有する１つのカラー画素を処理し、前記カラー出力チャネルから複数の画素色成分を有する１つのカラー画素を出力する工程と、
前記画像処理装置が前記第２の処理モードで構成されているとき、１つの画素色成分を有する複数の画素を処理し、前記カラー出力チャネルから前記複数の画素を出力する工程と
を備えることを特徴とする画像処理方法が提供される。
【手続補正３】
【補正対象書類名】明細書
【補正対象項目名】００１２
【補正方法】変更
【補正の内容】
【００１２】
本発明の別な態様によれば、デジタル画像の画素を処理する画像処理装置において、
複数のカラー出力チャネルを具備し、デジタル画像の画素を処理する画像処理装置と、
前記画像処理装置を第１の処理モード又は第２の処理モードで動作するように構成する制御装置とを具備し、
前記画像処理装置は、前記第１の処理モードで構成されているとき、一度に複数の画素色成分を有する１つのカラー画素を処理し、前記カラー出力チャネルから複数の画素色成分を有する１つのカラー画素を出力し、且つ
前記画像処理装置は、前記第２の処理モードで構成されているとき、１つの画素色成分を有する複数の画素を処理し、前記カラー出力チャネルから前記複数の画素を出力することを特徴とする画像処理装置が提供される。
【手続補正４】
【補正対象書類名】明細書
【補正対象項目名】００１３
【補正方法】変更
【補正の内容】
【００１３】
本発明の別な態様によれば、デジタル画像の画素を処理する画像処理方法において、
複数のカラー出力チャネルを有する画像処理装置を第１の動作モード又は第２の動作モードで動作するように構成する工程と、
前記第１の動作モード中、複数の画素色成分を有する１つのカラー画素を生成する工程と、
前記第１の動作モード中、前記複数の画素色成分を対応する前記カラー出力チャネルから出力することにより、１つのカラー画素を出力する工程と、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成する工程と、
前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、１つの画素色成分を有する画素を生成する工程と、
前記第２の動作モード中、複数の前記カラー出力チャネルから複数の画素を出力する工程と
を備えることを特徴とする画像処理方法が提供される。
【手続補正５】
【補正対象書類名】明細書
【補正対象項目名】００１４
【補正方法】変更
【補正の内容】
【００１４】
本発明の別な態様によれば、デジタル画像の画素を処理する画像処理装置であって、
複数のカラー出力チャネルを有する画像処理装置を第１の動作モード又は第２の動作モードで動作するように構成するホストプロセッサを具備し、前記画像処理装置は、
前記第１の動作モード中、複数の画素色成分を有する１つのカラー画素を生成し、且つ生成された各画素の前記複数の画素色成分を、対応する前記カラー出力チャネルから出力することにより、前記生成された複数のカラー画素を出力する塗りつぶしモジュールと、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成するモジュールとを具備し、
前記塗りつぶしモジュールは、前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する画素を生成し、且つ複数の前記画素を、前記複数の前記カラー出力チャネルから出力することを特徴とする画像処理装置が提供される。
【手続補正６】
【補正対象書類名】明細書
【補正対象項目名】００１５
【補正方法】変更
【補正の内容】
【００１５】
本発明の別の態様によれば、デジタル画像の画素を処理する画像処理方法であって、
複数のカラー出力チャネルを有する画像処理装置を第１の動作モード又は第２の動作モードで動作するように構成する工程と、
前記第１の動作モード中、１つ又は複数の塗りつぶし指令を生成する工程と、
前記第１の動作モード中、１つの画素位置に対して１つ又は複数の対応する前記塗りつぶし指令に応答して、複数の画素色成分を有する１つのカラー画素を生成する工程と、
前記第１の動作モード中、生成された各画素の前記複数の画素色成分を、対応する前記カラー出力チャネルから出力する工程と、
前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成する工程と、
前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する画素を生成する工程と、
前記第２の動作モード中、複数の前記画素を、対応する前記カラー出力チャネルから出力する工程と
を備えることを特徴とする画像処理方法が提供される。
【手続補正７】
【補正対象書類名】明細書
【補正対象項目名】００１６
【補正方法】変更
【補正の内容】
【００１６】
本発明の別な態様によれば、デジタル画像の画素を処理する画像処理装置において、
画像処理装置を第１の動作モード又は第２の動作モードで動作するように構成するホストプロセッサを具備し、前記画像処理装置は、
前記第１の動作モード中、対応する画素位置に対して１つ又は複数の塗りつぶし指令を生成する優先順位モジュールと、
前記第１の動作モード中、前記画素位置に対して１つ又は複数の対応する前記塗りつぶし指令に応答して、複数の画素色成分を有する１つの画素を出力する塗りつぶしモジュールとを具備し、
前記優先順位モジュールは、前記第２の動作モード中、塗りつぶし指令が適用されるラスタ順の連続する画素位置の数であって、１から前記カラー出力チャネルの数に等しい最大数まで変化できる数を指示するパラメータをそれぞれ含む１つ又は複数の塗りつぶし指令を生成し、且つ
前記塗りつぶしモジュールは、前記第２の動作モード中、１つ又は複数の前記画素位置に対して１つ又は複数の前記塗りつぶし指令に応答して、塗りつぶし指令の数及び前記塗りつぶし指令のパラメータに従って決まる数の、各々が１つの画素色成分を有する複数の画素を生成し、且つ生成された複数の画素を、対応する複数の前記カラー出力チャネルから出力することを特徴とする画像処理装置が提供される。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】